(57)【要約】      （修正有）【課題】簡単な構造で、操作が簡単な、改良された固定効果を有する締めひも調節器を提供する。【解決手段】締めひも調節器１００は、管状部材１０と、停止固定具２０と、分離部材４０とを含む。管状部材１０は、２つの開放端部１２１と、通り穴１１の境界を定める内面１２３とを有する周辺壁１２を含む。停止固定具２０は、内面１２３の一部１２４の上に固定された固定部分２１と、固定部分２１から軸Ｌに向かって傾斜して延在し、軸Ｌに近接する鋭利な自由端部部分２３を有する傾斜部分２２とを含む。分離部材４０は、通り穴１１および該開放端部１２１を通って軸方向に延在し、停止固定具２０を過ぎて移動する締めひも１４０から停止固定具２０を仕切るように構成される。締めひも１４０の所望の長さが、停止固定具２０を過ぎて移動した後、停止固定具２０が締めひも１４０に係合するように、分離部材４０は、管状部材１０から取り外し可能である。【選択図】図２
0003150951.tif 000002
【実用新案登録請求の範囲】
【請求項１】
締めひも（１４０）の長さを調節するための締めひも調節器（１００、１００’）であって、
前記締めひも（１４０）が通過できるように構成され、２つの開放端部（１２１、１２２、１２１’、１２２’）と、軸（Ｌ）を有する通り穴（１１、１１’）の境界を定める内面（１２３、１２３’）とを有する周辺壁（１２、１２’）を含む管状部材（１０、１０’）と、
前記管状部材（１０、１０’）の前記周辺壁（１２、１２’）の前記内面（１２３、１２３’）の一部（１２４、１２４’、１２５’）の上に固定された固定部分（２１、２１’、３１’）と、前記固定部分（２１、２１’、３１’）から前記軸（Ｌ）に向かって傾斜して延在し、前記軸（Ｌ）に近接し前記管状部材（１０、１０’）の前記開放端部（１２１、１２２、１２１’、１２２’）の一方を指す鋭利な自由端部部分（２３、２３’、３３’）を有する傾斜部分（２２、２２’、３２’）と、
前記通り穴（１１、１１’）および前記開放端部（１２１、１２２、１２１’、１２２’）を通って軸方向に延在し、前記停止固定具（２０、２０’３０’）を過ぎて移動する前記締めひも（１４０）から前記停止固定具（２０、２０’３０’）を仕切るように構成され、前記締めひも（１４０）の所望の長さが、前記停止固定具（２０、２０’３０’）を過ぎて移動した後、前記停止固定具（２０、２０’３０’）が前記締めひも（１４０）に係合することができるように、前記管状部材（１０、１０’）から取り外し可能である分離部材（４０、４０’）とを特徴とする締めひも調節器（１００、１００’）。
【請求項２】
前記管状部材（１０、１０’）が、前記通り穴（１１、１１’）に向かって前記周辺壁（１２、１２’）の前記内面（１２３、１２３’）から突出し、前記停止固定具（２０、２０’３０’）の前記固定部分（２１、２１’、３１’）を収容し保持するために軸方向に延在する保持穴（１３１、１３１’、１５１’）を有する少なくとも１つの保持リング（１３、１３’、１５’）をさらに含むことを特徴とする、請求項１に記載の締めひも調節器（１００、１００’）。
【請求項３】
前記管状部材（１０、１０’）が、前記周辺壁（１２、１２’）の前記内面（１２３、１２３’）から内側に突き出し、前記固定部分（２１、２１’、３１’）から前記軸（Ｌ）に向かって曲がるように、前記停止固定具（２０、２０’３０’）の前記傾斜部分（２２、２２’、３２’）を押す押し要素（１４、１４’、１６’）をさらに含むことを特徴とする、請求項１に記載の締めひも調節器（１００、１００’）。
【請求項４】
前記分離部材（４０）が、前記通り穴（１１）を軸方向に２つの部分に分割し、前記部分の一方が、通路（１１２）を形成し、前記部分の他方が、前記停止固定具（２０）を収容することを特徴とする、請求項１に記載の締めひも調節器（１００）。
【請求項５】
前記分離部材（４０）が、前記管状部材（１０）の外側に軸方向に延在する２つの対向する引っ張り部分（４３）をさらに含むことを特徴とする、請求項４に記載の締めひも調節器（１００）。
【請求項６】
前記引っ張り部分（４３）のそれぞれが、前記管状部材（１０）より断面が大きいことを特徴とする、請求項５に記載の締めひも調節器（１００）。
【請求項７】
前記分離部材（４０’）が、一次分離要素（４１’）と、前記一次分離要素（４１’）の２つの対向する側にそれぞれ接続された２つの二次分離要素（４２’）とを含み、前記一次分離要素（４１’）が、前記通り穴（１１’）を、前記二次分離要素（４２’）を収容する２つの部分にそれぞれ軸方向に分割し、一組の前記停止固定具（２０’、３０’）が、前記２つの部分の中の前記内面（１２３’）の上にそれぞれ設置され、前記停止固定具（２０’、３０’）の前記鋭利な自由端部部分（２３’、３３’）が、２つの対向する方向で、前記管状部材（１０’）の前記２つの開放端部（１２１’、１２２’）の方をそれぞれ指すことを特徴とする、請求項３に記載の締めひも調節器（１００’）。
【請求項８】
前記停止固定具(２０’、３０’）が、前記管状部材（１０’）の前記２つの開放端部（１２１’、１２２’）にそれぞれ近接することを特徴とする、請求項７に記載の締めひも調節器（１００’）。
【請求項９】
前記一次分離要素（４１’）が、前記管状部材（１０’）内に軸方向に延在する中間部分（４１１’)と、反対方向に引き離すことができるように前記中間部分（４１１’）に接続された２つの引っ張り端部部分（４１２’）とを含むことを特徴とする、請求項７に記載の締めひも調節器（１００’）。
【請求項１０】
前記二次分離要素（４２’、４３’）がそれぞれ、前記一次分離要素（４１’）の前記引っ張り端部部分（４１２’）の対応する一方に接続されたリング部分（４２１’、４３１’）と、前記リング部分（４２１’、４３１’）に接続され、前記停止固定具（２０’、３０’）の一方の上に軸方向に延在し、これを覆う誘導シート部分（４２２’、４３２’）とを含むことを特徴とする、請求項９に記載の締めひも調節器（１００’）。
【請求項１１】
前記分離部材（４０’）が、前記一次分離要素（４１’）の前記引っ張り端部部分（４１２’）上にそれぞれ設けられた２つの方向指示器（４１３’）をさらに含むことを特徴とする、請求項９に記載の締めひも調節器（１００’）。
【請求項１２】
前記二次分離要素（４２’、４３’）のそれぞれの前記リング部分（４２１’、４３１’）が、軸方向に延在するスリット（４２３’、４３３’）を有することを特徴とする、請求項１０に記載の締めひも調節器（１００’）。
【請求項１３】
前記管状部材（１０’）が、前記開放端部（１２１’、１２２’）の一方に近接する少なくとも一組の固定穴（１７’）をさらに含み、前記分離部材（４０’）の前記一次分離要素（４１’）が、前記固定穴（１７’）にそれぞれ係合する少なくとも一組の固定鋲（４１４）を含むことを特徴とする、請求項７に記載の締めひも調節器（１００’）。
【考案の詳細な説明】
【考案分野】
【０００１】
本考案は、締めひも調節器に関し、より詳細には、締めひもの長さを簡単に調節するための締めひも調節器に関する。
【背景技術】
【０００２】
従来の靴用の締めひもは、対向する金具を付けられた２つの端部と、固定された長さとを有する。したがって、従来の締めひもの長さは、ひも穴の数および靴のサイズによって調節することはできない。
【０００３】
図１を参照すると、台湾特許第Ｉ２５０８５４号に開示される従来の調節可能な締めひも組立体は、管状部材１と、管状部材１の中に通された第１締めひも部分２および第２締めひも部分３とを含む。管状部材１は、ほぼ円筒形の形状で形成され、第１の方向にその内面から傾斜して延在する複数の第１停止固定具１０１と、第１の方向と反対の第２の方向に内面から傾斜して延在する複数の第２停止固定具１０２とを含む。第１締めひも部分２および第２締めひも部分３はそれぞれ、第１の通し方向（Ｘ’）、および第１の通し方向（Ｘ’）と反対の第２の通し方向（Ｘ’’）に沿って、管状部材１の中に通され、第１停止固定具１０１および第２停止固定具１０２によってそれぞれ停止される。
【０００４】
締めひも部分２、３の長さは調節可能であるが、上記の従来技術は、尚、以下の欠点を有する。
【０００５】
１．第１締めひも部分２が、第１の通し方向（Ｘ’）で管状部材１の中に通される際、第２停止固定具１０２によって妨害されることがある。同様に、第２締めひも部分３が、第２の通し方向（Ｘ’’）で管状部材１の中に通される際、第１停止固定具１０１によって妨害されることがある。
【０００６】
２．第１および第２の停止固定具１０１、１０２は、管状部材１に直接穴を開けて形成されるため、鋭利な端部を有する第１および第２の停止固定具１０１、１０２を形成することは困難である。さらに、第１および第２の停止固定具１０１、１０２は、管状部材１の内面に相対的に近接している。したがって、第１および第２の停止固定具１０１、１０２の固定効果が制限される。
【考案の概要】
【考案が解決しようとする課題】
【０００７】
したがって、本考案の１つの目的は、簡単な構造で、操作が簡単な、改良された固定効果を有する締めひも調節器を提供することである。
【課題を解決するための手段】
【０００８】
したがって、本考案の締めひも調節器は、管状部材と、少なくとも１つの停止固定具と、分離部材とを含む。管状部材は、締めひもが通過できるように構成され、２つの開口端部と、１つの軸を有する通り穴の境界を定める内面とを有する周辺壁を含む。停止固定具は、管状部材の周辺壁の内面の一部の上に固定された固定部分と、固定部分から軸に向かって傾斜して延在し、軸に近接し管状部材の開放端部の一方を指す鋭利な自由端部部分を有する傾斜部分とを含む。分離部材は、通り穴および該開放端部を通って軸方向に延在し、停止固定具を過ぎて移動する締めひもから停止固定具を仕切るように構成される。締めひもの所望の長さが停止固定具を過ぎて移動した後、停止固定具が締めひもに係合することができるように、分離部材は管状部材から取り外し可能である。
【０００９】
本考案の他の特徴および利点は、添付の図面を参照して、以下の好ましい実施形態の詳細な記載において明らかになるであろう。
【図面の簡単な説明】
【００１０】
【図１】台湾特許第Ｉ２５０８５４号に開示される調節可能な締めひも組立体の断片的な部分断面図である。
【図２】本考案による締めひもの長さを調節するための締めひも調節器の第１の好ましい実施形態の部分断面図である。
【図３】第１の好ましい実施形態の頂面図である。
【図４】締めひもに組み立てられた第１の好ましい実施形態を示す断片的な部分断面図である。
【図５】本考案による締めひもの長さを調節するための締めひも調節器の第２の好ましい実施形態の断片的な部分断面図である。
【図６】第２の好ましい実施形態の分解組立斜視図である。
【図７】第２の好ましい実施形態の断面図である。
【図８】第２の好ましい実施形態を組みこんだ靴の斜視図である。
【図９】第２の好ましい実施形態の底面図である。
【図１０】第２の好ましい実施形態の頂面図である。
【図１１】しめ紐に組み立てられた第２の好ましい実施形態を示す断片的な部分断面図である。
【図１２】分離部材の取り外し操作を示す、図１１と同様の断片的な部分断面図である。
【図１３】図１２と同様であるが、分離部材を取り外した後の状態を示す断片的な部分断面図である。
【考案を実施するための形態】
【００１１】
図２および３を参照すると、締めひも１４０の長さを調節するために、本考案による締めひも調節器１００の第１の好ましい実施形態が使用される。締めひも１４０は、金具を付けられた端部１４３を有する金具付きの端部部分１４２と、金具付きの端部部分１４２の反対側の通し端部部分１４１とを含む。
【００１２】
締めひも調節器１００は、締めひも１４０の通し端部部分１４１に対して組み立てられべきであり、管状部材１０と、停止固定具２０と、分離部材４０とを含む。
【００１３】
管状部材１０は、締めひも１４０が通過できるように構成され、管状の構成で形成される。管状部材１０は、第１開放端部１２１および第２開放端部１２２と、第１開放端部１２１と第２の開放端部１２２の間に延在し、軸（Ｌ）を有する通り穴１１の境界を定める内面１２３とを有する周辺壁１２を含む。管状部材１０はさらに、打ち抜きによって形成される、２つの保持リング１３と、押し要素１４とを含む。保持リング１３は、第１の開放端部１２１に近接して設けられる。保持リング１３はそれぞれは、周辺壁１２の内面１２３から通り穴１１に向かって突出し、軸方向に延在し保持リング１３の他方のリングの穴に整列される保持穴１３１を有する。押し要素１４は、周辺壁１２の内面１２３から内側に突き出る。
【００１４】
停止固定具２０は、固定部分２１と、傾斜部分２２とを含む。固定部分２１は、周辺壁１２の内面１２３の第１部分１２４の上に固定され、保持リング１３の保持穴１３１の中に収容され、保持される。傾斜部分２２は、軸（Ｌ）に向かって固定部分２１から傾斜して延在し、軸（Ｌ）に近接し管状部材１０の第２の開放端部１２２の方を指す鋭利な自由端部部分２３を有する。停止固定具２０の傾斜部分２２は、停止固定具２０の固定部分２１から軸（Ｌ）に向かって曲がるように、押し要素１４によって押される。
【００１５】
分離部材４０は、十分な剛さおよび可撓性を有するポリビニル塩化物製のシートであり、通り穴１１と、第１および第２の開放端部１２１、１２２を通って軸方向に延在し、停止固定具２０を過ぎて移動する締めひも１４０から停止固定具２０を仕切るように構成される。分離部材４０は、通り穴１１を軸方向に２つの部分に分割する。部分の一方は通路１１２を形成し、部分の他方は停止固定具２０を収容する。通路１１２は、停止固定具２０から分離され、停止固定具２０と干渉しない締めひも１４０の挿入を可能にする。分離部材４０はさらに、管状部材１０の外側に軸方向に延在し、それぞれ方向指示器４４を備えて形成される２つの対向する引っ張り部分４３を含む。引っ張り部分４３はそれぞれ、管状部材１０より大きな断面である。締めひも１４０の所望の長さが停止固定具２０を過ぎて移動した後、停止固定具２０が締めひも１４０に係合することができるように、分離部材４０は、管状部材１０から取り外し可能である。
【００１６】
図２、３および４を参照すると、締めひも調節器１００が、締めひも１４０に組み立てられる際、分離部材４０が通り穴１１を軸方向に２つの部分に分割し、分離部材４０が内面１２３の第２の部分１２５と協働して、停止固定具２０から分離された通路１１２を画定するように、分離部材４０が通り穴１１の中に配置される。停止固定具２０と干渉することなく、締めひも１４０の通し端部部分１４１は、方向（Ｘ）に沿って通路１１２内に通され、通路１１２内で締めひも１４０の長さを調節することができる。締めひも１４０が所望の長さに調節されると、停止固定具２０を通路１１２に曝すために、分離部材４０は、管状部材１０から除去される。締めひも１４０の通し端部部分１４１は、方向（Ｘ）と反対の方向に沿って引っ張られ、その結果、締めひも１４０の通し端部部分１４１は、停止固定具２０によって停止され、締めひも１４０の通し端部部分１４１の余剰の部分を切断することができる。
【００１７】
上記の記載を考慮すると、本考案の締めひも調節器１００は、以下の利点を有する。
１．締めひも１４０の通し端部部分１４１を通すための通路１１２が、停止固定具２０から分離されるため、停止固定具２０に干渉することなく、締めひも１４０の通し端部部分１４１を通路１１２内に通すことができ、締めひも１４０の長さを調節することができる。
【００１８】
２．停止固定具２０の自由端部部分２３が、鋭利であり、軸（Ｌ）に相対的に近接しているため、締めひも１４０の通し端部部分１４１を、停止固定具２０によって効果的に固定し停止させることができる。
【００１９】
管状部材１０は、金具付き端部１４３と同様の色および形状を有するように構成されてよいことに留意されたい。
【００２０】
図５、６、７および８を参照すると、第１締めひも部分１１０と、第２締めひも部分１２０とを含む締めひもの長さを調節するのに、本考案による締めひも調節器１００’の第２の好ましい実施形態が使用される。第１および第２の締めひも部分１１０、１２０は、靴２００の２列のひも穴２１０の中に通される。第１および第２の締めひも部分１１０、１２０はそれぞれ、金具付き端部１３０を有する第１端部部分１１０’１２０’と、第１端部部分１１０’１２０’の反対側の第２の端部部分１１０’’、１２０’’とを含む。  締めひも調節器１００’は、２列のひも穴２１０の間に配置され、管状部材１０’と、一組の停止固定具（すなわち、第１停止固定具２０’と、第２停止固定具３０’）と、分離部材４０’とを含む。
【００２１】
管状部材１０’は、管状の構成で形成され、締めひもが通過できるように構成される。管状部材１０’は、第１開放端部１２１’および第２開放端部１２２’と、第１開放端部１２１’と第２の開放端部１２２’の間に延在し、軸（Ｌ）を有する通り穴１１’の境界を定める内面１２３’とを有する周辺壁１２’含む。管状部材１０はさらに、打ち抜きによって形成される、一組の第１保持リング１３’と、第１押し要素１４’と、一組の第２保持リング１５’と、第２押し要素１６’とを含む。第１保持リング１３’および第１押し要素１４’は、周辺壁１２’の内面１２３’の第１部分１２４’の上に設けられ、第２保持リング１５’および第２押し要素１６’は、周辺壁１２’の内面１２３’の第２部分１２５’の上に設けられる。第１保持リング１３’は、第２開放端部１２２’に近接して設けられる。第１保持リング１３’はそれぞれ、周辺壁１２’の内面１２３’から、通り穴１１’に向かって突出し、軸方向に延在し第１保持リング１３’の他のリングの穴に整列される保持穴１３１’を有する。第１押し要素１４’は、第１保持リング１３’に近接して設けられ、周辺壁１２’の内面１２３’から内側に突き出る。第２保持リング１５’は、第１の開放端部１２１’に近接して設けられ、第１保持リング１３’と半径方向に反対側である。第２保持リング１５’はそれぞれ、周辺壁１２’の内面１２３’から通り穴１１’に向かって突出し、軸方向に延在し第２保持リング１５’の他のリングの穴に整列される保持穴１５１’を有する。第２押し要素１６’は、第２保持リング１５’に近接して設けられ、第１押し要素１４’と半径方向に反対側であり、周辺壁１２’の内面１２３’から内側に突き出る。管状部材１０’はさらに、２組の固定穴１７’を含む。各組の固定穴１７’は、第１および第２開放端部１２１’、１２２’の対応する一方に近接する。
【００２２】
第１および第２停止固定具２０’３０’は、管状部材１０’の第２開放端部１２２’および第１開放端部１２２’にそれぞれ近接する。第１停止固定具２０’は、固定部分２１’と、傾斜部分２２’とを含む。第１停止固定具２０’の固定部分２１’は、周辺壁１２’の内面１２３’の第１部分１２４’の上に固定され、第１保持リング１３’の保持穴１３１’内に収容され、保持される。第１停止固定具２０’の傾斜部分２２’は、第１停止固定具２０’の固定部分２１’から軸（Ｌ）に向かって傾斜して延在し、軸（Ｌ）に近接し管状部材１０’の第１の開放端部１２１’の方を指す鋭利な自由端部部分２３を有する。第１停止固定具２０’の傾斜部分２２’は、第１停止固定具２０’の固定部分２１’から軸（Ｌ）に向かって曲がるように、第１押し要素１４’によって押される。同様に、第２停止固定具３０’は、固定部分３１’と、傾斜部分３２’とを含む。第２停止固定具３０’の固定部分３１’は、周辺壁１２’の内面１２３’の第２部分１２５’の上に固定され、第２保持リング１５’の保持穴１５１’内に収容され、保持される。第２停止固定具３０’の傾斜部分３２’は、第２停止固定具３０’の固定部分３１’から軸（Ｌ）に向かって傾斜して延在し、軸（Ｌ）に近接し第１停止固定具２０’の鋭利な自由端部部分２３’の方を指す鋭利な自由端部３３’を有する。すなわち、第１および第２の停止固定具２０’、３０’の鋭利な自由端部部分２３’、３３’は、それぞれ管状部材１０’の第１および第２開放端部１２１’、１２２’に向かって対向する方向を指す。第２の停止固定具３０’の傾斜部分３２’は、第２停止固定具３０’の固定部分３１’から軸（Ｌ）に向かって曲がるように、第２押し要素１６’によって押される。
【００２３】
分離部材４０’は、ポリビニル塩化物製のシートであり、通り穴１１’と、第１および第２の開放端部１２１’、１２２’とを通って軸方向に延在し、停止固定具２０’３０’を過ぎて移動する締めひもから停止固定具２０’３０を仕切るように構成される。分離部材４０’は、一次分離要素４１’と、一次分離要素４１’の２つの対向する側にそれぞれ接続された２つの二次的分離要素４２’、４３’とを含む。一次分離要素４１’は、管状部材１０’内に軸方向に延在する中間部分４１１’と、反対方向に引き離すことができるように中間部分４１１’に接続された２つの引っ張り端部部分４１２’とを含む。分離部材４０’が管状部材１０’内に組み立てられる際、引っ張り端部部分４１２’は、管状部材１０’の外側に軸方向に延在する。分離部材４０’はさらに、一次分離要素４１’の引っ張り端部部分４１２’上にそれぞれ設けられた２つの方向指示器４１３’を含む。一次分離要素４１’の中間部分４１１’は、固定穴１７’にそれぞれ係合する２組の固定鋲４１４’を含む。二次分離要素４２’、４３’はそれぞれ、一次分離要素４１’の引っ張り端部部分４１２’の対応する一方に接続されたリング部分４２１’、４３１’と、リング部分４２１’、４３１’に接続され、第１および第２停止固定具２０’、３０’の対応する一方の上に軸方向に延在し、これを覆う誘導シート部分４２２’、４３２’とを含む。二次分離要素４２’、４３’のそれぞれのリング部分４２１’、４３１’は、軸方向に延在するスリット４２３’４３３’を有する。一次分離要素４１’は、通り穴１１’を、二次分離要素４２’、４３’を受ける２つの部分にそれぞれ軸方向に分割する。第１および第２停止固定具２０’３０’は、２つの部分の中の内面１２３’上にそれぞれ設置される。
【００２４】
図５および７を再び参照すると、締めひも調節器１００’が第１および第２締めひも部分１１０、１２０と一緒に組み立てられる際、一次分離要素４１’が二次分離要素４２’、４３’と協働して、第１経路１１１’および第２経路１１２’をそれぞれ画定し、２つの方向指示器４１３’が、第１および第２経路１１１’、１１２’にそれぞれに対応するように、通り穴１１’内の第１停止固定具２０’と第２停止固定具３０’の間に分離部材４０’が配置される。第１および第２経路１１１’、１１２’は、二次分離要素４２’、４３’の誘導シート部分４２２’、４３２’によって、第１および第２停止固定具２０’３０’からそれぞれ分離される。
【００２５】
図９を参照すると、管状部材１０’に対して第１締めひも部分１１０の第１端部部分１１０’の所望の長さが得られるまで、第１締めひも部分１１０の第１端部部分１１０’は、第１開放端部１２１’から第２開放端部１２２’に向かって延在し、方向指示器４１３’によって示される方向（Ｘ’）に沿ってリング部分４２１’および第１通路１１１’内に通される。
【００２６】
図１０を参照すると、同様に、管状部材１０’に対して第２締めひも部分１２０の第１端部部分１２０’の所望の長さが得られるまで、第２締めひも部分１２０の第１端部部分１２０’は、第２開放端部１２２’から第１開放端部１２１’に向かって延在し、方向指示器４１３’によって示される方向（Ｘ’’）に沿って、リング部分４３１’および第２通路１１２’内に通される。
【００２７】
図１１を参照すると、第１および第２の通路１１１’、１１２’が、二次分離要素４２’、４３’の誘導シート部分４２２’、４３２’によって、第１および第２停止固定具２０’３０’からそれぞれ分離されるため、第１停止固定具２０’および第２停止固定具３０’と干渉することなく、第１締めひも部分１１０’の第１端部部分１１０’および第２締めひも部分１２０の第１端部部分１２０’をそれぞれ、長さ調節することができる。
【００２８】
図１２を参照すると、分離部材４０’の引っ張り端部部分４１２’が、二次分離要素４２’、４３’と共に引き離され、一次分離要素４１’の中間部分４１１’から除去される。リング部分４２１’、４３１’内に、広げることができるスリット４２３’、４３３’が存在することにより、第１および第２締めひも部分１１０、１２０の第２端部部分１１０’’、１２０’’から、二次分離要素４２’、４３’のリング部分４２１’、４３１を容易に取り外すことができる。第１締めひも部分１１０の第１端部部分１１０’が、方向（Ｘ’）に沿って引っ張られる際、それは、第１停止固定具２０’の鋭利な自由端部部分２３’によって固定され停止される。同様に、第２締めひも部分１２０の第１端部部分１２０’が、方向（Ｘ’’）に沿って引っ張られる際、それは、第２停止固定具３０’の鋭利な自由端部部分３３’によって固定され停止される。図１３に最もよく示されるように、第１および第２締めひも部分１１０、１２０と締めひも調節器１００’との組立体を形成するために、管状部材１０’の外側に延出する、第１および第２締めひも部分１１０、１２０の第２端部部分１１０’’、１２０’’は切断される。
【００２９】
図８を再び参照すると、第１および第２締めひも部分１１０、１２０と締めひも調節器１００’との組立体は、締めひも調節器１００’が２列のひも穴２１０の間に配置され、第１および第２締めひも部分１１０、１２０が、ひも穴２１０の中に通されるような方法で、靴２００の上に取り付けられる。
【００３０】
最も実用的で好ましい実施形態と考えられるものと関連して本考案を記載してきたが、本考案は、開示の実施形態に限定されるものではなく、すべてのこのような修正形態および同等の構成を包含する目的で、最も広い解釈の精神および範囲内に含まれる多様な構成を含むことを目的とすることを理解されたい。
【図１】
0003150951.tif 000003
【図２】
0003150951.tif 000004
【図３】
0003150951.tif 000005
【図４】
0003150951.tif 000006
【図５】
0003150951.tif 000007
【図６】
0003150951.tif 000008
【図７】
0003150951.tif 000009
【図８】
0003150951.tif 000010
【図９】
0003150951.tif 000011
【図１０】
0003150951.tif 000012
【図１１】
0003150951.tif 000013
【図１２】
0003150951.tif 000014
【図１３】
0003150951.tif 000015